(57)【要約】【課題】従来、つぼ押し器や指圧器および振動マッサージャーが利用されているが、更に効果的にほぐす方法として、発熱効果のある材料を肩や首筋に湿布する方法や、磁気効果のある湿布を肩や首筋に湿布する方法がある。しかし、肩等の体のつぼ部に、押し圧し、押し圧剤として発熱剤あるいは永久磁石を使用し押し圧する複合機能を持った指圧器はない。【解決手段】多利用目的指圧器の基端に押し圧剤収納部を設け、上記押し圧剤収納部に発熱剤あるいは永久磁石を嵌着することにより、軽量で、乾電池を使わず、扱いやすい多利用目的指圧器を創ることができる。【選択図】    図１
2008229111.tif 000002
【特許請求の範囲】
【請求項１】
鈎状に湾曲した弾性アーム部の基端に取っ手部を備え、先端には押し圧部を備えた多利用目的指圧器であって、上記取っ手部には開閉蓋を有する押し圧剤収納庫と、上記押し圧部には開閉蓋を有する押し圧剤嵌着部とから成る多利用目的指圧器。
【請求項２】
取っ手部には押し圧剤収納庫を設け、目的に応じた押し圧剤を収納し、押し圧部には押し圧剤嵌着部を設け、目的に応じた押し圧剤を嵌着することにより、あらゆる目的の押し圧を可能とする多利用目的指圧器であり、押し圧剤としては、発熱剤であり、永久磁石であることを特徴とする請求項１記載の多利用目的指圧器。
【請求項３】
基端の開閉蓋にＵ字形取っ手を有することを特徴とする請求項１、請求項２記載の多利用目的指圧器。
【発明の詳細な説明】
【技術分野】
【０００１】
本発明は、疲れたときにつぼ部に当て、つぼ部に押し圧し、またつぼ部を刺激することにより筋肉疲労を効果的に回復させることができる指圧器に関する。
【０００２】
従来、指圧器として、弾性アーム部の反発力を利用した指圧器や、磁気イオンつぼ押しマッサージャーのように、乾電池とモーターと磁石つきつぼ押し先端部により上下動に振動させ押し圧を行う機械などがある。
【０００３】
しかしながら、従来のような、弾性アーム部の反発力を利用した指圧器は押し圧が上下動に振動させるだけであり、また磁気イオンつぼ押しマッサージャーのように複合機能を持った指圧器であっても、１台でつぼ部に押し圧したり、つぼ部に押し圧しながら熱を加えたり、つぼ部に磁力を加えることはできない。
【０００４】
また、従来の指圧器は、上下運動あるいは振動によりつぼ部のコリをほぐす方法であるが、押し圧をしながらつぼ部を発熱剤により刺激し、また永久磁石を使用する方法を１台による多利用目的指圧器はない。
【０００５】
しかも、従来の指圧器は取っ手部を握持しないと押し圧できず、使用することもできない。
【特許文献１】実開平７−１８７３０号公開
【特許文献２】特開２００５−３０４６８６号公開
【発明の開示】
【発明が解決しようとする課題】
【０００６】
ところが、上記特許文献１に記載の手動指圧器及び電動指圧器は、取っ手と略円錐形の指圧部と略疑問符状の湾曲部材に構成され、指圧部は略疑問符状の湾曲部材に固定され、乾電池とモーターにより構成されているが、指圧部は略疑問符状の湾曲部材に固定されているために、指圧部の交換をすることはできない。
【０００７】
上記特許文献２に記載の、磁気イオンつぼ押しマッサージャーは、乾電池とモーターにより構成され、本体に縦振動、横振動、回転などの振動源を内蔵し、永久磁石を装着したつぼ押し先端部で振動させながらこりや筋肉疲労を効果的に解消する指圧器である。
【０００８】
しかし、上記磁気イオンつぼ押しマッサージャーは振動つぼ押し器の先端に磁石を固着しているため、押し圧部の先端を交換することは不可能であり、発熱剤によりつぼ部を刺激することもできない、また磁力の弱くなった磁石を交換することもできない。
【０００９】
また、手の不自由なヒトには取っ手部を握持することも難しく、押し圧することもできない。
【００１０】
そこで、本発明によると、上記多利用目的指圧器は、基端２の取っ手部３の押し圧剤収納庫３ｂ内に押し圧剤６として袋状に成型した発熱剤１０として、温熱剤は、例えば、使い捨てカイロであり、冷熱剤１２としては、例えば、ドライアイスである。または、略円錐形状１４に成形した永久磁石１１を収納し、先端４の押し圧部５に上記使用する押し圧剤６
を嵌着することにより目的に応じた押し圧することができる。また、取っ手部３の開閉蓋端部３ｃにＵ字形取っ手７を取り付けることにより、手の不自由なヒトにでも上記Ｕ字形取っ手７凹部８に腕をのせるだけで押し圧することを可能とする。
【課題を解決するための手段】
【００１１】
上記目的を達成するため、本発明の第１構成によると、鈎状に湾曲した弾性アーム部の基端に取っ手部を備え、先端には押し圧部を備えた多利用目的指圧器であって、上記取っ手部には開閉蓋を有する押し圧在収納庫と、上記押し圧部には開閉蓋を有する押し圧剤嵌込着部とから成る多利用目的指圧器。
【００１２】
上記目的を達成するため、本発明の第２構成にかかわる多利用目的指圧器は、
取っ手部には押し圧剤収納庫を設け、目的に応じた押し圧剤を収納し、押し圧部には押し圧剤嵌着部を設け、目的に応じた押し圧剤を嵌着することにより、あらゆる目的の押し圧を可能とする多利用目的指圧器であり、押し圧剤としては、発熱剤であり、永久磁石である。ここで、発熱剤としては、例えば、温熱剤は使い捨てカイロであり、冷熱剤はドライアイスである。
【００１３】
上記目的を達成するため、本発明の第３構成にかかわる多利用目的指圧器は基端の開閉蓋３にＵ字形取っ手を有する、請求項１、請求項２記載の多利用目的指圧器。
【発明の効果】
【００１４】
多利用目的指圧器の基端２の取っ手部３の押し圧剤収納庫３ｂ内に押し圧剤６として袋状に成型した発熱剤１０、あるいは略円錐形状１４に成形した永久磁石１１を収納し、先端４の押し圧剤嵌着部５ｂには上記袋状に成型した発熱剤１０、あるは略円錐形状１４に成形した永久磁石１１を嵌着することにより、押し圧したり、押し圧しながらつぼ部９に温熱したり、冷熱したり、磁力を加えたり、あらゆる押し圧を可能とする。また上記発熱剤１０あるいは略円錐形状１４に成形した永久磁石１１の効果が失われたときは押し圧剤収納庫３ｂ内から新しい上記発熱剤１０、あるは永久磁石１１を取り出し、先端４の押し圧剤嵌着部５ｂに嵌着し、使用後の上記発熱剤１０、あるは略円錐形状１４に成形した永久磁石１１を押し圧剤収納庫３ｂに収納することにより効果的な押し圧を可能とする。
【００１５】
また、上記取っ手部３の開閉蓋端部３ｃにＵ字形取っ手７を取り付けることにより、手の不自由なヒトにでもＵ字形取っ手７凹部８に腕をのせるだけで押し圧することを可能となる。
【発明を実施するための最良の形態】
【００１６】
本発明は、多利用目的指圧器の基端２に取っ手部３を設け、上記取っ手部３は開閉蓋3ａと取っ手部３の中空５に内には押し圧剤収納庫３ｂとにより構成され、押し圧剤収納庫３ｂ内に押し圧剤６として袋状に成型した発熱剤１０あるいは、略円錐形状１４に成形した永久磁石１１を収納し、弾性アーム部１の素材は弾性材料を使用し、上記先端４には、押し圧部５を設け、押し圧部５には開閉部５ａと押し圧部５の中空５ｄの略円錐形状１４の押し圧剤嵌着部５ｂにより構成され、上記押し圧部５の肉厚部５ｃの素材としては、熱伝導率のよい素材を使用する。
【００１７】
また、押し圧剤嵌着部５ｂの中空５ｄ内には押し圧に使用する袋状に成型した発熱剤１０あるいは、略円錐形状１４に成形した永久磁石１１を嵌着することにより、効果の失われた袋状に成型した発熱剤１０あるいは略円錐形状１４に成形した永久磁石１１を押し圧剤嵌着部５ｂより取り出し、新しい袋状に成型した発熱剤１０あるいは、略円錐形状１４に成形した永久磁石１１を嵌着することにより、常に効果の有する押し圧を可能とする多利用目的指圧器を創作することができる。また基端２の開閉蓋端部３ｃにＵ字形取っ手７を取り付けることができるために手の不自由なヒトも上記Ｕ字形取っ手７凹部８に腕をのせるだけで押し圧することができる。
【００１８】
以下、本発明の実施例について説明する。
図１に示す多利用目的指圧器は、基端２の取っ手部３の構成は開閉蓋3ａと押し圧剤収納庫３ｂであり、弾性アーム部１は弾性力のある素材を使用し、先端４の押し圧部５は開閉蓋5ａと押し圧剤嵌着部５ｂにより構成され、また基端２の開閉蓋端部３ｃにＵ字形取っ手７を取り付け手の不自由なヒトにでも上記Ｕ字形状取っ手７凹部８に腕をのせるだけで押し圧することができる。
【００１９】
図2に示すのは、多利用目的指圧器の断面図であり、上記断面図によると多利用目的指圧器は、基端２の取っ手部３は、押し圧剤６を収納する押し圧剤収納庫３ｂと開閉蓋３ａとにより構成されている、弾性アーム部１は弾性力のある素材を使用し、先端４の押し圧部５は、開閉蓋５ａと押し圧剤嵌着部５ｂにより構成され、押し圧剤嵌着部５ｂは略円錐形状１４となり肉厚部５ｃとして熱効率のよい素材を使用する。
【００２０】
図３に示すのは、基端２の取っ手部３の詳細断面図である、上記詳細断面図によると基端２は取っ手部３と開閉蓋３ａにより構成されている、上記取っ手部３は略円柱形状１３であり、取っ手部３の中空５ｄも略円柱形状１３である。また押し圧剤６として袋状に成型した発熱剤１０あるいは略円錐形状１４に成形した永久磁石１１を収納する目的にために押し圧剤収納庫３ｂを有する構成である。
【００２１】
また、上記開閉蓋３ａを取り付けることにより押し圧剤収納庫３ｂ内に袋状に成型した発熱剤１０あるいは略円錐形状１４に成形した永久磁石１１を収納することを可能とする。
【００２２】
図４に示すのは、袋状に成型した発熱剤１０を押し圧剤嵌着部５ｂに嵌着した断面図である、上記断面図によると、弾性アーム部１の先端４に開閉蓋５ａを取り付けることによりを押し圧剤嵌着部５ｂと一体とした構成であり、また上記構成により押し圧剤嵌着部５ｂは開閉蓋５ａにより嵌着可能となり効果のなくなった袋状に成型した発熱剤１０を交換することができる。
【００２３】
図５に示すのは、押し圧部５の押し圧剤嵌着部５ｂ内に押し圧剤６が嵌着されずに押し圧している状況を示す断面図である。上記断面図によると、押し圧剤嵌着部５ｂの形状は略円錐形状１４であり、弾性アーム部１の先端４に開閉蓋５ａを取り付けることにより、押し圧剤６を嵌着する場合は開閉蓋５ａから押し圧剤嵌着部５ｂを取り外し、押し圧剤６を嵌着することによりあらゆる押し圧をすることができる構成である。
【００２４】
図６に示すのは、押し圧剤６として袋状に成型した冷熱剤１２を押し圧剤嵌着部５ｂに嵌着した断面図である。冷熱剤としては、例えばドライアイスである。
【００２５】
図７に示すのは、略円錐形状１４に成型した永久磁石１１を押し圧剤嵌着部５ｂに嵌着した断面図である。
【００２６】
図８に示すのは、先端４の押し圧部５の平面図である。上記平面図によると押し圧部５の平面形状は円形状であり、断面形状は略円錐形状１４である。
【図面の簡単な説明】
【００２７】
【図１】本発明である多利用目的指圧器の基端の端部にＵ字形取っ手をとりつけた側面図である
【図２】本発明である多利用目的指圧器の断面図である。
【図３】本発明である多利用目的指圧器の後端の押し圧剤嵌着部に発熱剤が嵌着されている断面図である。
【図４】本発明である多利用目的指圧器の押し圧部の押し圧剤嵌着部に発熱剤が嵌着され押し圧している側面図である。
【図５】本発明である多利用目的指圧器の押し圧部の押し圧剤嵌着部に押し圧剤が嵌着されずに押し圧している側面図である。
【図６】本発明である多利用目的指圧器の押し圧部の押し圧剤嵌着部に発熱剤として冷熱剤が嵌着され押し圧している側面図である。
【図７】本発明である多利用目的指圧器の押し圧部に略円錐状に成形した永久磁石が嵌着され押し圧している側面図である
【図８】本発明である多利用目的指圧器の押し圧部の平面図である。
【符号の説明】
【００２８】
１      弾性アーム部                    ５ｃ    肉厚部
２      基端                            ５ｄ    中空
３      取っ手部                        ６      押し圧剤
３ａ    開閉蓋                          ７      Ｕ字形取っ手
３ｂ    押し圧剤収納庫                  ８      凹部
３ｃ    開閉蓋端部                      ９      つぼ部
４      先端                            １０    発熱剤
５      押し圧部                        １１    永久磁石
５ａ    開閉蓋                          １２    冷熱剤
５ｂ    押し圧剤嵌着部                  １３    略円柱形状
１４    略円錐形状
【図１】
2008229111.tif 000003
【図２】
2008229111.tif 000004
【図３】
2008229111.tif 000005
【図４】
2008229111.tif 000006
【図５】
2008229111.tif 000007
【図６】
2008229111.tif 000008
【図７】
2008229111.tif 000009
【図８】
2008229111.tif 000010